(57)【要約】【課題】フリークーリング運転を行うデータセンター等に好適な空調システム技術を提供する。【解決手段】配管系統Ｂ２はフリークーリングのための系統であり、熱源機群２と熱交換器５ｄ間を結ぶ往水配管５ａの一部（三方弁Ｖ１の下流側）、還水配管５ｅの一部（熱交換器５ｄと三方弁Ｖ６間）、三方弁Ｖ６から縦管群７に至る配管５ｆ、縦管群７から三方弁Ｖ２に至る配管５ｇ、還水配管５ｅの一部（三方弁Ｖ２、Ｖ３の間）、三方弁Ｖ３から三方弁Ｖ１に至る配管５ｈ、という循環経路により構成されている。  縦管群７は建物ファサードの外壁７ｂに設置されている。縦管群７を構成する複数の縦管７ａは無保温配管であり、配管内を流れる還水を外気との熱交換により冷却可能に構成されている。【選択図】図４
2014194301.tif 000002
【特許請求の範囲】
【請求項１】
熱源機で製造した冷水を、循環水配管系統を介して室内機（ＡＨＵ）に循環供給する空調システムであって、
該室内機は、循環冷水と室内吸込み空気とを熱交換する第一の熱交換器（４）と、第一の熱交換器（４）の上流側に第二の熱交換器（５）と、を備え、
該循環水配管系統は、熱源機と第一の熱交換器との間を循環する第一の配管系統（Ａ）と、
熱源機と第二の熱交換器との間を循環する第二の配管系統（Ｂ１）と、
熱源機を介することなく、第二の熱交換器と屋外を通過し、外気と熱交換可能な無保温配管群との間を循環する第三の配管系統（Ｂ２）と、を備えて成ることを特徴とする空調システム。
【請求項２】
第一の配管系統（Ａ）を用いた冷房運転と、
第二の配管系統（Ｂ１）を用いた冷房運転と、
第一の配管系統（Ａ）と第二の配管系統（Ｂ１）とを同時に用いた冷房運転と、
第三の配管系統（Ｂ２）を用いた外気冷房運転と、
第一の配管系統（Ａ）を用いた冷房運転と、第三の配管系統（Ｂ２）を用いた外気冷房運転と、を同時に行う予冷運転と、
を適宜、切り替えて運転可能に構成したことを特徴とする請求項1に記載の空調システム。
【請求項３】
前記無保温配管群は、建物ファサード外壁に配置した縦管群であることを特徴とする請求項1乃至３のいずれかに記載の空調システム。
【請求項４】
請求項1乃至３のいずれかに記載の空調システムの室温制御方法であって、
第一の配管系統（Ａ）、又は、第二の配管系統（Ｂ１）を用いる冷房運転時において、
前記室内機からの吹き出し温度（Ｔｂ）が設定温度（Ｔｓ）となるように、前記第一の熱交換器又は前記第二の熱交換器を通過する冷水流量を制御する、
ことを特徴とする空調システムの室温制御方法。
【請求項５】
請求項1乃至３のいずれかに記載の空調システムの室温制御方法であって、
第一の配管系統（Ａ）、又は、第二の配管系統（Ｂ１）を用いる冷房運転時において、
前記室内機吸込み温度（Ｔｉ）が設定温度（Ｔｓ）となるように、前記第一の熱交換器又は前記第二の熱交換器を通過する冷水流量を制御する、
ことを特徴とする空調システムの室温制御方法。
【請求項６】
請求項1乃至３のいずれかに記載の空調システムの室温制御方法であって、
第一の配管系統（Ａ）と、第二の配管系統（Ｂ１）又は第三の配管系統（Ｂ２）のいずれか一方と、を同時に用いる冷房運転時において、
（ａ）室内温度（Ｔｉ）と外気温（Ｔｏ）との差が所定値（α）以下の場合には、第一の配管系統（Ａ）及び第二の配管系統（Ｂ１）による冷房運転を同時に行い、
（ｂ）室内温度（Ｔｉ）と外気温（Ｔｏ）との差が所定値（α）を超える場合には、第一の配管系統（Ａ）による冷房運転と、第三の配管系統（Ｂ２）によるフリークーリング運転と、を同時に行う、
ことを特徴とする空調システムの室温制御方法。
【請求項７】
請求項６において、さらに、
前記（ａ）の場合には、
第一の配管系統（Ａ）および第二の配管系統（Ｂ１）については、前記室内機からの吹き出し温度（Ｔｂ）が設定温度（Ｔｓ）となり、かつ、第一の熱交換器および第二の熱交換器を通過する冷水流量を制御し、
前記（ｂ）の場合には、
第一の配管系統（Ａ）については、前記室内機からの吹き出し温度（Ｔｂ）が設定温度（Ｔｓ）となり、
第三の配管系統（Ｂ２）については、第二の熱交換器出の冷気温度が設定温度（Ｔs)となるように、前記第一の熱交換器又は前記第二の熱交換器を通過する冷水流量を制御する、
ことを特徴とする空調システムの室温制御方法。
【請求項８】
請求項６において、さらに、
前記（ａ）の場合には、
前記室内機吸込み温度（Ｔｉ）が設定温度（Ｔｓ）となるように、第一の熱交換器又は第二の熱交換器を通過する冷水流量を制御し、
前記（ｂ）の場合には、
第二の熱交換器を通過する冷水流量を最大とし、前記室内機吸込み温度（Ｔｉ）が設定温度（Ｔｓ）となるように、第一の熱交換器を通過する冷水流量を制御し、
第一の熱交換器を通過する冷水流量が最小の場合は、前記室内機吸込み温度（Ｔｉ）が設定温度（Ｔｓ）となるように、第二の熱交換器を通過する冷水流量を制御する、
ことを特徴とする空調システムの室温制御方法。
【発明の詳細な説明】
【技術分野】
【０００１】
本発明は、空調システム及びその運転方法に係り、特にフリークーリング運転を行うデータセンター等に好適な空調システム技術に関する。
【背景技術】
【０００２】
従来、データセンター等においては、熱源機についてはＮ＋１又はＮ＋２（予備機の設置）、冷媒配管系統、室内機については２Ｎ（ダブル配管、ダブルコイル）のように、冗長性を持たせる構成とし、空調システムの信頼性を担保することが行われている。しかしながら、その分設置コスト増となり、特に配管系統について屋内配管、かつ、保温が必要であるためコストパフォーマンス面で問題がある。
なお、データセンターにおける熱源機と配管系統の冗長性整合を図るシステムとして、例えば特許文献１の技術が提案されている。
【０００３】
一方、中間期、冬期に外気を利用した冷房を可能とするフリークーリングが省エネ性優れたシステムとして実用化されているが、外気と熱交換するための専用冷却塔や、熱源機内に予熱用熱交換器を必要とするため、設置コスト増が問題となる。
この問題を解消する技術として、専用冷却塔や予熱用熱交換器を不要とするシステムが提案されているが（例えば特許文献２）、冷却塔自体を不要とするものではなく冷却塔運転のためのエネルギーコストの問題は解消されない、
【先行技術文献】
【特許文献】
【０００４】
【特許文献１】特開２０１２−６８００８号公報
【特許文献２】特開２００９−６３２３７号公報
【発明の開示】
【発明が解決しようとする課題】
【０００５】
上記課題に鑑み、本発明は、データセンター等の空調システムにおける配管冗長性を利用して、コストパフォーマンスに優れ、かつ、省エネ性向上を可能とする空調システム及びその制御技術を提供するものである。
【課題を解決するための手段】
【０００６】
本発明は以下の内容をその要旨とする。すなわち、本発明に係る空調システムは、
（１）熱源機で製造した冷水を、循環水配管系統を介して室内機（ＡＨＵ）に循環供給する空調システムであって、
該室内機は、循環冷水と室内吸込み空気とを熱交換する第一の熱交換器（４）と、第一の熱交換器（４）の上流側に第二の熱交換器（５）と、を備え、
該循環水配管系統は、熱源機と第一の熱交換器との間を循環する第一の配管系統（Ａ）と、
熱源機と第二の熱交換器との間を循環する第二の配管系統（Ｂ１）と、
熱源機を介することなく、第二の熱交換器と屋外を通過し、外気と熱交換可能な無保温配管群との間を循環する第三の配管系統（Ｂ２）と、を備えて成ることを特徴とする。
【０００７】
【０００８】
（２）上記発明において、第一の配管系統（Ａ）を用いた冷房運転と、
第二の配管系統（Ｂ１）を用いた冷房運転と、
第一の配管系統（Ａ）と第二の配管系統（Ｂ１）とを同時に用いた冷房運転と、
第三の配管系統（Ｂ２）を用いた外気冷房運転と、
第一の配管系統（Ａ）を用いた冷房運転と、第三の配管系統（Ｂ２）を用いた外気冷房運転と、を同時に行う予冷運転と、
を適宜、切り替えて運転可能に構成したことを特徴とする。
【０００９】
本発明において、「外気冷房運転」とは、いわゆるフリークーリング運転をいう。以下の説明において、「外気冷房運転」又は「フリークーリング運転」を併せて用いる。
【００１０】
（３）上記各発明において、前記無保温配管群は、建物ファサード外壁に配置した縦管群であることを特徴とする。
【００１１】
また、本発明に係る空調システムの室温制御方法は、上記各空調システムにおいて、
（４）第一の配管系統（Ａ）、又は、第二の配管系統（Ｂ１）を用いる冷房運転時において、
前記室内機からの吹き出し温度（Ｔｂ）が設定室温（Ｔｓ）となるように、前記第一の熱交換器又は前記第二の熱交換器を通過する冷水流量を制御する、ことを特徴とする。
【００１２】
（５）第一の配管系統（Ａ）、又は、第二の配管系統（Ｂ１）を用いる冷房運転時において、
前記室内機吸込み温度（Ｔｉ）が設定室温（Ｔｓ）となるように、前記第一の熱交換器又は前記第二の熱交換器を通過する冷水流量を制御する、ことを特徴とする。
【００１３】
（６）第一の配管系統（Ａ）と、第二の配管系統（Ｂ１）又は第三の配管系統（Ｂ２）のいずれか一方と、を同時に用いる冷房運転時において、
（ａ）室内温度（Ｔｉ）と外気温（Ｔｏ）との差が所定値（α）以下の場合には、第一の配管系統（Ａ）及び第二の配管系統（Ｂ１）による冷房運転を同時に行い、
（ｂ）室内温度（Ｔｉ）と外気温（Ｔｏ）との差が所定値（α）を超える場合には、第一の配管系統（Ａ）による冷房運転と、第三の配管系統（Ｂ２）によるフリークーリング運転と、を同時に行う、ことを特徴とする。
【００１４】
（７）上記（６）の発明において、さらに、
前記（ａ）の場合には、第一の配管系統（Ａ）および第二の配管系統（Ｂ１）については、前記室内機からの吹き出し温度（Ｔｂ）が設定温度（Ｔｓ）となり、かつ、第一の熱交換器および第二の熱交換器を通過する冷水流量を制御し、
前記（ｂ）の場合には、第一の配管系統（Ａ）については、前記室内機からの吹き出し温度（Ｔｂ）が設定温度（Ｔｓ）となり、第三の配管系統（Ｂ２）については、第二の熱交換器出の冷気温度が設定温度（Ｔs)となるように、前記第一の熱交換器又は前記第二の熱交換器を通過する冷水流量を制御する、ことを特徴とする。
【００１５】
（８）上記（６）の発明において、さらに、
前記（ａ）の場合には、前記室内機吸込み温度（Ｔｉ）が設定温度（Ｔｓ）となるように、第一の熱交換器又は第二の熱交換器を通過する冷水流量を制御し、
前記（ｂ）の場合には、第二の熱交換器を通過する冷水流量を最大とし、前記室内機吸込み温度（Ｔｉ）が設定温度（Ｔｓ）となるように、第一の熱交換器を通過する冷水流量を制御し、第一の熱交換器を通過する冷水流量が最小の場合は、前記室内機吸込み温度（Ｔｉ）が設定温度（Ｔｓ）となるように、第二の熱交換器を通過する冷水流量を制御する、ことを特徴とする。
なお、冷水流量「最小」には、流量０の場合をふくむ。
【発明の効果】
【００１６】
上記各発明によれば、空調システムにおいて外気温が低いときにフリークーリング運転を実現することができる。
また、データセンター等の空調システムにおける配管冗長性を利用して、コストパフォーマンスに優れ、かつ、温度制御性、省エネ性向上を可能とする空調システム及びその制御技術を提供できる。さらに、冷却塔等を必要としないためランニングコストを削減できる。
【図面の簡単な説明】
【００１７】
【図１】本発明の一実施形態に係る空調システム１の構成を示す図である。
【図２】空調システム１の配管系統Ａを示す図である。
【図３】配管系統Ｂ1を示す図である。
【図４】配管系統Ｂ２を示す図である。
【図５】配管系統Ａ、Ｂ１を用いた負荷分散運転の態様を示す図である。
【図６】配管系統Ａ、Ｂ２を用いた予冷運転の態様を示す図である。
【図７】運転態様１による室温制御例（吹き出し温度制御の場合）を示す図である。
【図８】同上（吸込み温度制御の場合）を示す図である。
【図９】運転態様２，４の組み合わせによる室温制御例（吹き出し温度制御の場合）を示す図である。
【図１０】同上（吸込み温度制御の場合）を示す図である。
【発明を実施するための最良の形態】
【００１８】
以下、本発明に係る空調システムの各実施形態について、図１乃至７を参照してさらに詳細に説明する。重複説明回避のため、各図において同一構成には同一符号を用いて示している。なお、本発明の範囲は特許請求の範囲記載のものであって、以下の実施形態に限定されないことはいうまでもない。
【００１９】
＜システム構成＞
図１を参照して、本実施形態に係る空調システム１はデータセンター内のサーバー室８を熱源機から循環供給される冷水により冷房するシステムである。空調システム１は、信頼性確保のため熱源機については（Ｎ＋１）、配管系統、熱交換器（コイル）については２Ｎ（但し、Ｎは必要数）備え、冗長性を持たせたシステムとして構築されている。具体的には、冷水発生源として複数の熱源機２ａを有する熱源機群２を備えている。各熱源機２ａはそれぞれ冷却塔２ｂを備えており、サーバー室８から回収する排熱を外気との熱交換より放散可能としている。
【００２０】
冷水を循環供給する配管系統については、メイン配管系統Ａと、配管系統Ａ補完のための配管系統Ｂと、により構成されている。また、サーバー室８内に設置される室内機３（ＡＨＵ）については、ダブルコイルとして熱交換器４ｄ、５ｄを備えている。なお、同図では単一のサーバー室８にのみ冷水供給するように示されているが、実際には多層階、複数室に設置される複数の室内機群に供給しており、簡明化のため図示を省略している。
【００２１】
図２を参照して、メイン配管系統Ａ（同図太線）は熱源機群２と熱交換器４ｄ間を結ぶ往水配管４ａ、熱源機群２と熱交換器４ｄ間を結ぶ還水配管４ｅ、及び、往水配管４ａ経路中に配設される循環ポンプ４ｂ、二方弁Ｖ４により構成されている。
【００２２】
また配管系統Ｂは２つの配管系統Ｂ１，Ｂ２を備えている。図３を参照して、配管系統Ｂ１（同図太線）は、熱源機群２と熱交換器５ｄ間を結ぶ往水配管５ａ、熱源機群２と熱交換器５ｄ間を結ぶ還水配管５ｅ、往水配管５ａ経路中に配設される循環ポンプ５ｂ、二方弁Ｖ５、及び還水配管５ｅ経路中に配設される三方弁Ｖ６，Ｖ３，Ｖ２により構成されている。
【００２３】
図４を参照して、配管系統Ｂ２（同図太線）はフリークーリングのための系統であり、熱源機群２と熱交換器５ｄ間を結ぶ往水配管５ａの一部（三方弁Ｖ１の下流側）、還水配管５ｅの一部（熱交換器５ｄと三方弁Ｖ６間）、三方弁Ｖ６から縦管群７に至る配管５ｆ、縦管群７から三方弁Ｖ２に至る配管５ｇ、還水配管５ｅの一部（三方弁Ｖ２、Ｖ３の間）、三方弁Ｖ３から三方弁Ｖ１に至る配管５ｈ、という循環経路により構成されている。
縦管群７は建物ファサードとして外壁７ｂに設置されている。縦管群７を構成する複数の縦管７ａは無保温配管であり、配管内を流れる還水を外気との熱交換により冷却可能に構成されている。なお、縦管群７及び配管５ｆ、５ｇを除く上記各系統の配管表面には保温材が巻かれている。
なお、縦管群は日射の影響の少ない北側に設置されることが望ましい。縦管群は建物ファサードとして建物内への視界を遮る役割も兼ねることができる。また、室外機スペースの防音ルーバーや目隠しルーバーとしての機能も兼ねることができる。
【００２４】
空調システム１の制御系統は配管系統Ａ、Ｂ１、Ｂ２にそれぞれ配設される循環ポンプ４ｂ、５ｂ、制御弁Ｖ１〜Ｖ６、吹き出し温度Ｔｓ，室内温度（吸込み温度）Ｔｉ、熱交換器４温度Ｔｍ、外気温度Ｔｏをそれぞれ計測する温度センサＳ１乃至Ｓ４，及び、各温度センサの計測値に基づいて循環ポンプ４ｂ、５ｂ、制御弁Ｖ１〜Ｖ６に対して制御指令を行う制御部（図示せず）により構成されており、後述のサーバー室８の室温制御を可能としている。
【００２５】
空調システム１は以上のように構成されており、次に空調システム１の冷房運転の態様について説明する。冷房運転態様は表１の５態様に分類され、季節、外気温度、冷房負荷等に対応して、この中から最適の運転態様を選択することができる
【００２６】
【表１】
2014194301.tif 000003
【００２７】
＜運転態様１＞
本態様は、夏季等において外気温が比較的高く、かつ、冷房負荷がそれほど高くない条件のときに適用される。熱源機群２からの冷水は配管系統Ａを介して循環供給され（図２参照）、サーバー室８の冷却が行われる。サーバー室８で回収した排熱は、冷却塔２ｂに運ばれて外気との熱交換により大気中に捨てられる。配管系統Ｂは停止状態にある。
【００２８】
＜運転態様２＞
本態様は、夏季等において外気温が比較的高く、かつ、冷房負荷が高い場合に適した運転態様である。図５に示すように、本形態では系統Ａ，系統Ｂ１に冷水が循環供給される。両系統に循環水が分散されるため、１系統のみを用いた場合と比較して配管抵抗が小さくなり、循環ポンプ等の搬送動力の低減が可能となる。
【００２９】
＜運転態様３＞
本態様は、運転態様１又は２において、配管系統Ａに不具合が生じて作動不良となった等の場合に、配管系統Ｂ１のみを用いて冷房運転する態様である。熱源機群２からの冷水は配管系統Ｂ１を介して循環供給され（図３参照）、サーバー室８の冷却が行われる。配管系統Ａ系統は停止状態にある。
【００３０】
＜運転態様４＞
本態様は、フリークーリング、すなわち中間期、冬季等において外気冷熱を利用する運転態様であり、例えば室温Ｔｉと外気温Ｔｏとの温度差が所定値以上（又は外気温が所定温度以下）の場合が対象となる。
本態様においては、循環ポンプ５ｂ稼働、循環ポンプ４ｂ停止、熱源機群２停止であり、冷水は図４太線に示すように配管系統Ｂ２を用いて行われる。配管系統Ａは停止状態にある。
循環水は熱交換器５ｄにおいて排熱回収し、還水配管５ｆを経由して縦管群７に戻され、ここで外気との熱交換により冷却される。冷却された循環水は、還水配管５ｇ→配管５ｅ→配管５ｈ→配管５ａの流路を経て熱交換器５ｄに戻される。
室内機３に還流する室内空気は、熱交換器５ｄにおいて循環水と熱交換して冷風となり、送風ファン３ａにより再度、室内に供給される。
本態様では、熱源機２ａ、冷却塔２ｂの電力消費がない分、省エネ性が向上する。
【００３１】
＜運転態様５＞
本態様は、配管系統Ｂ２を配管系統Ａの予冷のために用いる態様である。冷水循環は、図６太線に示すように配管系統Ａ、Ｂ２を用いて行われる。
熱交換器においてサーバー室８内の室内空気は熱交換器において冷風となり室内に戻される。配管系統Ｂ１により，排熱回収した還水は、還水配管を経由して縦管群７に戻され、ここで外気との熱交換により冷却される。冷水は還水配管→バイパス配管→往水配管の流路により、熱交換器に再度供給される。
予冷によりある程度冷却された戻り空気は、熱交換器においてさらに冷却される。
還水の熱回収、サーバー室８からの回収排熱は、冷却塔において大気との熱交換により捨てられる。大気への放散は正常冷房運転時と同様である。
本態様では、熱交換器の上流側で予冷されるため、熱源機系統による負荷軽減を図ることができるため、省エネルギー性が向上する。
【００３２】
以下、上記各態様又はその組み合わせによる室温制御例について説明する。制御方式として、吹き出し温度制御、吸込み温度制御の２方式がある。
＜運転態様１〜３による室温制御＞
以下、系統Ａを制御する場合（運転態様１）を例に説明する。系統Ｂ１のみ制御、系統Ａ、Ｂ１をそれぞれ独立に制御する場合も同様に行うことができる。
【００３３】
（ａ）吹き出し温度制御の場合
図７を参照して、送風ファン３ａからの吹き出し温度Ｔｂに基づき制御する場合、制御開始とともに温度センサＳ１の計測値Ｔｂがサーバー室設定温度Ｔｓを超えているか否かが判定される（Ｓ１０１）。
Ｔｂ＞Ｔｓの場合には冷水循環量を増加して吹き出し温度を低下させるべく、二方弁Ｖ４の開度を１段階増加させる（Ｓ１０２）。Ｔｂ＜Ｔｓの場合には冷水循環量を減少させて吹き出し温度を低下させるべく、二方弁Ｖ４の開度を１段階減少させる（Ｓ１０４）。Ｔｂ＝Ｔｓの場合には、現状二方弁Ｖ４開度を維持する（Ｓ１０３）。
【００３４】
（ｂ）吸込み温度制御の場合
次に、図８を参照して、室内温度（吸込み温度）に基づく制御の場合には、制御開始とともに温度センサＳ２の計測値Ｔｉと設定温度Ｔｓとの比較が行われる（Ｓ２０１）。
Ｔｉ＞Ｔｓの場合には冷水循環量を増加させるため、二方弁Ｖ４開度を１段階増加させる（Ｓ２０２）。Ｔｉ＜Ｔｓの場合には冷水循環量を減少させるべく、二方弁Ｖ４の開度を１段階減少させる（Ｓ２０４）。Ｔｂ＝Ｔｓの場合には、現状の開度を維持する（Ｓ２０３）。
【００３５】
＜運転態様２，５の組み合わせ制御＞
（ａ）吹き出し温度制御方式
図９を参照して、制御開始とともに室内温度Ｔｉと外気温度Ｔｏとの温度差が所定値α以上か否かが判定される（Ｓ３０１）。
Ｔi−Ｔｏ＞αの場合には（Ｓ３０１においてＹ）、外気冷房が有効であるため配管系統Ｂについては外気冷房運転（系統Ｂ２）となる（Ｓ３０２）。なお、配管系統Ａは常に通常冷房運転が行われる。具体的には、配管系統Ａについては温度センサＳ１により吹き出し温度Ｔｂが設定室温Ｔｓとなるよう制御する。一方、配管系統Ｂ２については温度センサＳ３の温度が目標温度Ｔsとなるよう制御する（Ｓ３０５）。
Ｓ１０２においてＮ、すなわちＴi−Ｔｏ≦αの場合には外気冷房の効果が望めないため、両系統はそれそれ通常冷房運転による制御が行われる（Ｓ３０４）。具体的には、配管系統Ａ、Ｂ１はそれぞれ独立に二方弁Ｖ４，Ｖ５の開度制御を行い、熱交換器４ｄ、５ｄへの冷水循環量を調整して設定室温Ｔｓとなるよう制御する（Ｓ３０５）。このとき二方弁を同一開度で制御することで、それぞれの配管系統の流量を均一化でき、冷水の搬送動力を低減できる。
【００３６】
（ａ）吸込み温度制御方式
図１０を参照して、制御開始とともに室内温度Ｔｉと外気温度Ｔｏとの温度差が所定値α以上か否かが判定される（Ｓ４０１）。
Ｔｉ−Ｔｏ＞αの場合には（Ｓ４０１においてＹ）、外気冷房が有効であるため配管系統Ｂについては外気冷房運転（系統Ｂ２）となる（Ｓ４０２）。なお、配管系統Ａは常に通常冷房運転が行われる（Ｓ４０２ａ）。
【００３７】
次いで、系統Ａの二方弁Ｖ４開度が最小であるか否かが判定される（Ｓ４０３）。二方弁Ｖ４開度最小の場合には（Ｓ４０３においてＹ）、系統Ｂ２の二方弁Ｖ５開度を最大に制御する（Ｓ４０４）。
Ｓ４０３においてＮ、すなわち二方弁Ｖ４開度が最小に至っていない場合には、系統Ｂを通常冷房運転（系統Ｂ１）に切り替える（Ｓ４０５）。
【００３８】
Ｓ４０２においてＮ、すなわちＴｒ−Ｔｏ≦αの場合には外気冷房の効果が望めないため、系統Ａ、Ｂともに通常冷房運転による制御が行われる（Ｓ４０６）。具体的には、配管系統Ａ、Ｂはともに温度センサＳ４の計測値Ｔｉが目標温度Ｔｓとなるよう二方弁Ｖ４，Ｖ５の開度制御を行う（Ｓ４０７）。
【産業上の利用可能性】
【００３９】
本発明は、データーセンターの冷房制御のみならず、また、熱源、冷凍方式等を問わず、冗長配管系統を有する空調システムに広く適用可能である。
【符号の説明】
【００４０】
１・・・・空調システム
２・・・・熱源機群
３・・・・室内機
４ｂ、５ｂ・・・・循環ポンプ
４ｄ、５ｄ・・・・熱交換器
７ａ・・・・縦管群
８・・・・サーバー室
Ａ、Ｂ１、Ｂ２・・・・配管系統
Ｓ１-Ｓ４・・・・温度センサ
Ｖ４，Ｖ５・・・・二方弁
Ｖ１、Ｖ２、Ｖ３、Ｖ６・・・・三方弁
【図１】
2014194301.tif 000004
【図２】
2014194301.tif 000005
【図３】
2014194301.tif 000006
【図４】
2014194301.tif 000007
【図５】
2014194301.tif 000008
【図６】
2014194301.tif 000009
【図７】
2014194301.tif 000010
【図８】
2014194301.tif 000011
【図９】
2014194301.tif 000012
【図１０】
2014194301.tif 000013